(57)【要約】【課題】  室内機の騒音を低減させることができる空気調和機の室内機用の空気供給装置を提供する。【解決手段】空気調和機の室内機の吸込口へ空気を供給するための装置である。空気を導入するための入口１６と、室内機１０の吸込口１３に接続された出口１７と、入口１６から出口１７へとのびる通風空間１８とを区画するケース１５を含んでいる。ケース１５の内部には、吸音部材３０が配されており、吸音部材３０は、ケース１５の内面に配された第１吸音部３１と、入口１６から出口１７までの通風空間１８の長さを延長するように前記通風空間１８内をのびている第２吸音部３２とを含む。【選択図】図２
2017083098.tif 000002
【特許請求の範囲】
【請求項１】
空気調和機の室内機の吸込口へ空気を供給するための装置であって、
空気を導入するための入口と、前記室内機の前記吸込口に接続された出口と、前記入口から前記出口へとのびる通風空間とを区画するケースを含み、
前記ケースの内部には、吸音部材が配されており、
前記吸音部材は、前記ケースの内面に配された第１吸音部と、前記入口から前記出口までの通風空間の長さを延長するように前記通風空間内をのびている第２吸音部とを含むことを特徴とする空気調和機の室内機用の空気供給装置。  
【請求項２】
前記第２吸音部は、前記入口と前記出口とを結ぶ最短経路を横切ってのびている請求項１記載の空気調和機の室内機用の空気供給装置。
【請求項３】
前記室内機は、後背面が壁に固定される箱状の室内機本体の上面部に前記吸込口を具えており、
前記ケースは、前記通風空間が前記吸込口よりも上部側に設けられるように設置された箱状であり、
前記通風空間の前記入口は、前記ケースの前面側に設けられ、前記吸込口よりも前記室内機本体の前側に位置し、
前記第２吸音部は、前記入口から導入された空気の一部を上向きへ案内するように斜めにのびる板状である請求項１又は２記載の空気調和機の室内機用の空気供給装置。
【請求項４】
前記第２吸音部は、平面視において、前記吸込口を部分的に覆っている請求項３記載の空気調和機の室内機用の空気供給装置。
【請求項５】
前記ケースには、外気を供給するダクトが接続される外気入口がさらに設けられている請求項１乃至４のいずれかに記載の空気調和機の室内機用の空気供給装置。  
【発明の詳細な説明】
【技術分野】
【０００１】
本発明は、空気調和機の室内機用の空気供給装置に関し、詳しくは、室内機の騒音を低減し得る空気供給装置に関する。
【背景技術】
【０００２】
建物内の温度を調整するための空気調和機として、種々のものが提案されている（例えば、下記特許文献１）。空気調和機は、建物内部に設けられた室内機と、建物の外部に設けられた室外機とを含んでいる。室内機は、例えば、吸込口から吸い込んだ空気を内部の熱交換器によって冷却又は加熱した後、その空気を室内に供給する。
【０００３】
しかしながら、従来、室内機内部のモータ等の作動音や空気の吸い込み音等の騒音が、室内機の吸込口側から発生する傾向があった。とりわけ、一台の空気調和機を用いて、空調された空気を複数の室内に供給するような場合、大きな騒音が生じ易い傾向があった。
【先行技術文献】
【特許文献】
【０００４】
【特許文献１】特開２００７−２１８５０２号公報
【発明の概要】
【発明が解決しようとする課題】
【０００５】
本発明は、以上のような問題点に鑑み、案出されたもので、空気調和機の室内機の騒音を低減させることができる空気供給装置を提供することを主たる目的としている。
【課題を解決するための手段】
【０００６】
本発明は、空気調和機の室内機の吸込口へ空気を供給するための装置であって、空気を導入するための入口と、前記室内機の前記吸込口に接続された出口と、前記入口から前記出口へとのびる通風空間とを区画するケースを含み、前記ケースの内部には、吸音部材が配されており、前記吸音部材は、前記ケースの内面に配された第１吸音部と、前記入口から前記出口までの通風空間の長さを延長するように前記通風空間内をのびている第２吸音部とを含むことを特徴とする。
【０００７】
本発明の空気調和機の室内機用の空気供給装置において、前記第２吸音部は、前記入口と前記出口とを結ぶ最短経路を横切ってのびているのが望ましい。
【０００８】
本発明の空気調和機の室内機用の空気供給装置において、前記室内機は、後背面が壁に固定される箱状の室内機本体の上面部に前記吸込口を具えており、前記ケースは、前記通風空間が前記吸込口よりも上部側に設けられるように設置された箱状であり、前記通風空間の前記入口は、前記ケースの前面側に設けられ、前記吸込口よりも前記室内機本体の前側に位置し、前記第２吸音部は、前記入口から導入された空気の一部を上向きへ案内するように斜めにのびる板状であるのが望ましい。
【０００９】
本発明の空気調和機の室内機用の空気供給装置において、前記第２吸音部は、平面視において、前記吸込口を部分的に覆っているのが望ましい。
【００１０】
本発明の空気調和機の室内機用の空気供給装置において、前記ケースには、外気を供給するダクトが接続される外気入口がさらに設けられているのが望ましい。
【発明の効果】
【００１１】
本発明の空気調和機の室内機用の空気供給装置は、空気を導入するための入口と、室内機の吸込口に接続された出口と、入口から出口へとのびる通風空間とを区画するケースを含む。ケースの内部には、吸音部材が配されており、吸音部材は、ケースの内面に配された第１吸音部と、入口から出口までの通風空間の長さを延長するように通風空間内をのびている第２吸音部とを含む。
【００１２】
室内機の吸込口から発生する騒音（空気の振動）は、ケースの内面で反射を繰り返すが、ケースの内面に配された第１吸音部は、前記騒音を効果的に吸収することができる。また、第２吸音部は、入口から出口までの通風空間の長さを延長するように通風空間内をのびているため、騒音が室内機の吸込口からケースの入口に到達するまでの間に、第１吸音部及び第２吸音部が効果的に空気の振動を吸収することができる。これにより、室内機の騒音が低減される。
【図面の簡単な説明】
【００１３】
【図１】本発明の一実施形態の空気調和機の室内機用の空気供給装置を説明するための建物の断面図である。
【図２】図１の空気供給装置の拡大図である。
【図３】図２の空気供給装置の部分斜視図である。
【発明を実施するための形態】
【００１４】
以下、本発明の実施の一形態が図面に基づき説明される。
図１には、本発明の空気調和機１の室内機１０用の空気供給装置２が設けられた建物３の断面図が概念的に示されている。図１に示されるように、本実施形態の建物３は、例えば、優れた断熱性能、遮光性能及び気密性能を具えた工業化住宅が示されている。
【００１５】
建物３は、例えば、床下空間４と、床上空間５とを有している。床下空間４は、基礎６と地面７と床９とで囲まれた非居住空間である。床下空間４は、例えば、基礎６に設けられた換気口２０からの空気で換気される。床上空間５は、床下空間４の上方に設けられた空間であり、本実施形態では、複数の居室８Ａ〜８Ｄが区画されている。
【００１６】
空気調和機１は、各居室８Ａ乃至８Ｄに空調された空気を供給するためのものである。空気調和機１は、例えば、家庭用のセパレート型エアコンであり、建物３の内部に設置された室内機１０と、建物３の外部に設置された室外機１１とをセットとして含んでいる。
【００１７】
本実施形態の室内機１０は、例えば、建物３の中央部に位置する居室８Ａの床上に設置されている。室内機１０は、室内の空気を吸い込み、その空気を内部の熱交換器（図示省略）により冷却又は加熱した後、床下空間４に設けられた床下チャンバー１９に吐出する。床下チャンバー１９は、例えば、床下空間４とは独立した空間を形成している。室内機１０から床下チャンバー１９に吐出された空気は、床下空間４の空気と混合することなく、供給ダクト１２を通じて各居室８Ａ乃至８Ｄに供給される。このように、本実施形態の空気調和機１は、例えば、複数の居室８Ａ乃至８Ｄを空調するための１つの熱源として用いられている。
【００１８】
図２には、図１の空気供給装置２の拡大図が示されている。図３には、図２の空気供給装置２の拡大斜視図が示されている。図２及び図３に示されるように、本実施形態の室内機１０は、例えば、後背面が壁に固定される箱状である室内機本体の上面部に吸込口１３を具えており、室内機本体の下側に、吐出口１４を供えている。室内機１０の吐出口１４側には、上述した床下チャンバー１９が構成されている。本実施形態の空気供給装置２は、室内機１０の上側（吸込口１３側）に配されたケース１５を含んで構成されている。
【００１９】
図２に示されるように、本実施形態のケース１５は、例えば、壁の一部が一体となって空間を構成している。但し、ケース１５は、このような態様に限定されるものでは無い。ケース１５は、空気を導入するための入口１６と、室内機１０の吸込口１３に接続された出口１７と、入口１６から出口１７へとのびる通風空間１８とを区画している。
【００２０】
本実施形態のケース１５は、例えば、通風空間１８が室内機１０の吸込口１３よりも上部側に設けられるように設置された箱状である。通風空間１８の入口１６は、例えば、ケース１５の前面側に設けられ、吸込口１３よりも室内機本体の前側に位置している。
【００２１】
本実施形態では、ケース１５の前面部２１には、ケース１５の幅方向にのびる桟２５が上下方向に複数配され、桟２５、２５の間に開口部２６が形成されている。また、前面部２１の一部（本実施形態では下部分）は、遮音板２７で遮られ、ケース１５の前面部２１の上部に、入口１６が形成されている。入口１６は、居室８Ａ（図１に示す）内に配され、居室内の空気をケース１５内に供給することができる。
【００２２】
ケース１５の内部には、吸音部材３０が配されている。吸音部材３０は、空気の振動を吸収することができる部材であり、グラスウール、ロックウール、スポンジ等、公知のものが種々用いられる。本実施形態では、吸音部材３０として、グラスウールボードの表面にガラスクロスを貼り付けた複合体が用いられている。
【００２３】
吸音部材３０は、ケース１５の内面に配された第１吸音部３１と、入口１６から出口１７までの通風空間１８の長さを延長するように通風空間１８内をのびている第２吸音部３２とを含んでいる。
【００２４】
室内機１０の吸込口１３から発生する騒音（空気の振動）は、ケース１５の内面で反射を繰り返すが、ケース１５の内面に配された第１吸音部３１は、前記騒音を効果的に吸収することができる。また、第２吸音部３２は、入口１６から出口１７までの通風空間１８の長さを延長するように通風空間１８内をのびているため、騒音が室内機１０の吸込口１３からケースの入口１６に到達するまでの間に、第１吸音部３１及び第２吸音部３２が効果的に空気の振動を吸収することができる。これにより、室内機１０の騒音が低減される。
【００２５】
本実施形態の第１吸音部３１は、例えば、ケース１５の前面部２１に対向する後面部２２、上面部２３、及び、側面部２４（図３に示され、以下、同様である。）の内面全体に配されているのが望ましい。これにより、ケース１５内での音の反射をさらに抑制することができる。
【００２６】
第１吸音部３１は、例えば、前面部２１にも設けられている。望ましい態様として、本実施形態の第１吸音部３１は、遮音板２７とともに、前面部２１の一部（入口１６の下部分）を遮っているのが望ましい。これにより、騒音がさらに効果的に吸収されるとともに、入口１６の開口面積を第１吸音部３１によって容易に調整することができる。なお、前面部２１に設けられた第１吸音部３１は、このような態様に限定されるものではなく、例えば、上面部２３から下方にのび、前面部２１の上部分に配されるものでも良い。
【００２７】
第２吸音部３２は、例えば、入口１６の下端部からケース１５の奥行き方向にのびている。なお、「奥行き方向」とは、ケース１５の前面部２１から後面部２２に向かう方向を意味する。また、図３に示されるように、第２吸音部３２の幅方向の両端３３は、両側の側面部２４に接続されている。これにより、本実施形態の第２吸音部３２は、入口１６と出口１７とを結ぶ最短経路を横切ってのびている。さらに、第２吸音部３２は、平面視において、吸込口１３を部分的に覆っている。このような第２吸音部３２は、吸込口１３からの騒音を効果的に吸収することができる。
【００２８】
図２に示されるように、第２吸音部３２は、入口１６から導入された空気の一部を上向きへ案内するように斜めにのびる板状であるのが望ましい。これにより、単純な矩形の箱状のケース内に、略横Ｕ字状の空気流路をすることができ、吸込口１３から入口１６までの距離を大きくして、騒音を効果的に吸収することができる。また、このような第２吸音部３２は、室内機１０の上部の空間を確保し、空気が吸込口１３から吸い込まれるときの抵抗（以下、単に「吸込抵抗」という場合がある。）を抑制するのにも役立つ。
【００２９】
上述の効果をさらに発揮させるために、第２吸音部３２の水平方向に対する角度θ１（図示省略）は、好ましくは１０°以上、より好ましくは１５°以上であり、好ましくは３０°以下、より好ましくは２５°以下である。
【００３０】
第２吸音部３２の奥行き方向の幅Ｗ２は、ケース１５の奥行き方向の幅Ｗ１の好ましくは０．２０倍以上、より好ましくは０．３５倍以上であり、好ましくは０．８０倍以下、より好ましくは０．６５倍以下である。このような第２吸音部３２は、吸込抵抗の増加を抑制しつつ、騒音を抑制することができる。
【００３１】
第２吸音部３２の後面部２２側の端縁３４から上面部２３までの第１高さｈ１は、室内機１０から第２吸音部３２の前記端縁３４までの第２高さｈ２よりも大きいのが望ましい。具体的には、前記第１高さｈ１は、例えば、前記第２高さｈ２の１．０５〜１．１５倍であるのが望ましい。このような第２吸音部３２は、入口１６から吸込口１３までの間において、空気の流速を徐々に大きくし、ひいてはケース１５内での空気の乱流を抑制することができる。従って、吸込抵抗の増加が抑制される。
【００３２】
前記第２高さｈ２は、室内機１０の前面部２１側の端縁３５から第２吸音部３２までの第３高さｈ３よりも大きいのが望ましい。具体的には、前記第２高さｈ２は、例えば、前記第３高さｈ３の２．５〜３．０倍であるのが望ましい。これにより、入口１６側から案内された空気は、室内機１０の前記端縁３５側で乱流を起こすことなく、滑らかに吸込口１３に吸い込まれる。
【００３３】
入口１６の各開口部２６の高さｈｓの合計ｈｔは、第１高さｈ１よりも大きいのが望ましい。このような入口１６は、吸い込み抵抗の増加を抑制するのに役立つ。
【００３４】
図３に示されるように、本実施形態のケース１５には、外気を供給するダクト３６が接続される外気入口３７がさらに設けられているのが望ましい。図１に示されるように、ダクト３６は、換気口２０から床下空間４に供給された外気をケース１５内に案内する。これにより、ケース１５内において、居室８Ａの空気と、新鮮な外気とを混合させることができる。従って、空気調和機１を運転することにより、各居室を空調しながら換気することができる。
【００３５】
以上、本発明の特に好ましい実施形態について詳述したが、本発明は図示の実施形態に限定されることなく、種々の態様に変形して実施しうる。
【実施例】
【００３６】
本発明の空気供給装置が用いられた空気調和機の騒音量を測定するために、実施例として、ケース内に図２及び図３に示される第１吸音部及び第２吸音部が設けられた空気供給装置が作成された。比較例１として、図２の基本構造を有し、ケース内に吸音部材が設けられていない空気供給装置が作成された。比較例２として、ケース内に図２及び図３に示される第１吸音部のみが設けられた空気供給装置が作成された。なお、各比較例及び実施例は、吸音部の有無を除き、互いに同じ構成を有している。各空気供給装置について、下記の方法で騒音量が測定された。
【００３７】
＜騒音量＞
比較例１及び２、並びに、実施例の各空気供給装置について、ＪＩＳ  Ｃ９６１２の騒音試験に基づいて、室内機から１ｍ離れた距離における室内機の騒音量が測定された。
結果が表１に示される。
【００３８】
【表１】
2017083098.tif 000003
【００３９】
テストの結果、実施例の空気供給装置は、室内機の騒音を効果的に低減させていることが確認できた。
【符号の説明】
【００４０】
１  空気調和機
１０  室内機
１３  吸込口
１５  ケース
１６  入口
１７  出口
１８  通風空間
３０  吸音部材
３１  第１吸音部
３２  第２吸音部
【図１】
2017083098.tif 000004
【図２】
2017083098.tif 000005
【図３】
2017083098.tif 000006